(57)【要約】      （修正有）【課題】従来の空容器潰し機は、加圧時に大きい力を必要とする問題があった。そこで空容器を容易に扁平に圧潰することを可能にした空容器潰し機を提供する。【解決手段】  空容器の胴部を横置して、該胴部下面中央面域を支持すると共に該空容器の天板と底板を左右側方へ張り出した状態を形成する第１受圧ブロックと、該胴部上面側を加圧し谷折り状態に形成すると同時に上記左右側方へ張り出した天板下と底板下を該第１受圧ブロックの左右側において下方へ変形せしめ胴部下面側を台形折り状態に形成する第１加圧ブロックを備え、更に上記谷折り状態と台形折り状態にした該空容器の底板を載置する第２受圧ブロックと、同天板を加圧し該天板と底板間において胴部を扁平に圧縮する第２加圧ブロックを備えた構成にしたことにより、小力で空容器を扁平に圧潰することを可能にした。【選択図】図１
2006334666.tif 000002
【特許請求の範囲】
【請求項１】
空容器の胴部を横置して、該胴部下面中央面域を支持すると共に該空容器の天板と底板を左右側方へ張り出した状態を形成する第１受圧ブロックと、該胴部上面側を加圧し谷折り状態に形成すると同時に上記左右側方へ張り出した天板下と底板下を該第１受圧ブロックの左右側において下方へ変形せしめ胴部下面側を台形折り状態に形成する第１加圧ブロックを備え、更に上記谷折り状態と台形折り状態にした該空容器の底板を載置する第２受圧ブロックと、同天板を加圧し該天板と底板間において胴部を扁平に圧縮する第２加圧ブロックを備えた構成にしたことを特徴とする空容器潰し機。
【発明の詳細な説明】
【技術分野】
【０００１】  本発明は、使用済みの１８リットル缶等の大容量の空容器を扁平に圧縮変形する潰し機に関する。
【技術背景】
【０００２】  以下に述べる特許文献１乃至５の空容器潰し機は、基本構造としてベースの端末に枢支した扇状に上下回動する操作レバーとベース間に空容器を挟み圧潰する空容器潰し機である。
【０００３】  例えば、第１次加圧時で空容器の胴板上部中央を加圧して帯状の凹みを形成し、同時に該空容器の天板と底板が相対方向に傾斜接近して略ハ字形状に変形した該空容器を、第２次加圧時で上方より加圧して、該空容器全体を圧縮変形させる空容器潰し機がある。（特許文献１乃至４参照）
【０００４】  又、ベース上面と操作レバー下面に鋭角状ブロックを対向してベース巾方向に延設し、また支柱寄りに該操作レバー下面及び該ベース上面の両方もしくは一方に平面状のブロックを配設した潰し機において、第１次加圧時にベース上の該鋭角状ブロックの上に横置した空容器の上下面の中央を天板から底板にかけて縦断する線上に該レバーの該鋭角状ブロックで加圧して半潰し、第２次加圧時で該空容器を反転して支柱寄りの該扁平ブロック上に置替え、再度上方より該レバーを降ろし圧潰する空容器潰し機がある。（特許文献５，６参照）
【特許文献１】特開平０８−０１０９９０
【特許文献２】特開平１０−２４４３９７
【特許文献３】特開平１１−３３３５９５
【特許文献４】特開２０００−１０７８９７
【特許文献５】特開２０００−１９７９９４
【特許文献６】特開２０００−２４６４９６
【発明の開示】
【発明が解決しようとする課題】
【０００５】  上記に述べた特許文献１乃至４の空容器潰し機は、空容器が１８リットル缶の場合、第１次加圧時において横置した缶胴の中央上面に帯状の凹みを形成し、該加圧に伴い対向する該１８リットル缶の天（底）板と缶胴板を結合する為の巻き締め結合により強固になっている該天板及び該底板の上部が相対方向に引っ張られて傾斜し、該１８リットル缶は天板と底板を略ハ字形状に変形し、第２次加圧時においては、該略ハ字形という構造上から上方からの加圧に対して抗力が大きく、また上記に述べたように強固な天板及び底板により大きい抗力が生じるため、該１８リットル缶を扁平に圧潰するには大きな力が必要であり困難である。【０００６】  又、特許文献４及び５の空容器潰し機は、第１次加圧時に横置した空容器の上面中央を縦断する線上と下面中央を縦断する線上において、天板から底板にかけて鋭角な両ブロックで挟み加圧変形するもので、上記に述べたように該空容器が１８リットル缶の場合、上記に述べたように天板及び底板は缶胴板と締結する為に全周を巻き締め結合しており、縁周り部分の断面構造は堅剛な構造になっており、且つ該１８リットル缶は横置していることにより天板及び底板は立っている状態であり、その状態の缶を上下方向より同時に加圧変形させるには、大きな力が必要でありまた困難である。
【課題を解決するための手段】
【０００７】  本発明は、上記の問題点を解決する空容器潰し機を提供する。空容器の胴部を横置して、該胴部下面中央面域を支持すると共に該空容器の天板と底板を左右側方へ張り出した状態を形成する第１受圧ブロックと、該胴部上面側を加圧し谷折り状態に形成すると同時に上記左右側方へ張り出した天板下と底板下を該第１受圧ブロックの左右側において下方へ変形せしめ胴部下面側を台形折り状態に形成する第１加圧ブロックを備え、更に上記谷折り状態と台形折り状態にした該空容器の底板を載置する第２受圧ブロックと、同天板を加圧し該天板と底板間において胴部を扁平に圧縮する第２加圧ブロックを備えた構成にした。
【発明の効果】
【０００８】  これにより第１次加圧時において、空容器の胴部のみを加圧する為、該加圧に要する力は小力であり、また該第１次加圧時に該空容器の胴板全周面に折れ線を形成せしめることにより、第２次加圧時におけるその折れ線を形成された該空容器を圧潰する際の加圧に要する力も小力であり、従って該空容器を容易に扁平に圧潰することを可能にした。【０００９】  上記空容器が１８リットル缶の場合、第１次加圧時において該１８リットル缶の缶胴部を第１加圧ブロックで鋭角な谷折り状態に形成する為、缶胴部からの抗力は小さく、また第１受圧ブロックも缶胴部中央を受ける為缶胴部からの抗力は小さい為、加圧に要する力は小力で良く、また圧縮変形した１８リットル缶の缶胴上部に１本の谷折りの折畳み線が形成されて該空容器の正面からみた形状はＶ字形状の谷折り状の形状になり、缶胴下部には２本の谷折りの折畳み線が形成され、正面からみた形状は台形折り状態を形成する。【００１０】  第２次加圧時において、上記第１次加圧時で缶胴に折畳み線を形成された１８リットル缶の天板と底板を上下にして挟み圧縮して折畳む為、上記特許文献４，５のように缶胴板との結合部の回り縁が堅固に形成された抗力の大きい天板及び底板を加圧変形する必要なく小力で１８リットル缶を扁平にし、圧潰作業の効率を上げた。
【発明を実施するための最良の形態】
【００１１】  本発明の実施の形態を、図１乃至図８に基づいて説明する。図１に示すように、ベースａ１の後辺から支柱ａ２を立設し、該支柱ａ２に該ベースａ１の上方において上下回動する操作レバーｂ１の基端を支軸ａ５を以って枢支して、該ベースａ１前方へ向け延設する。【００１２】  上記ベースａ１上に前後方向に延在する方形の第１受圧ブロックｃ１を配設し、また上記操作レバーｂ１下部に該第１受圧ブロックｃ１に対向して断面形状が三角形の第１加圧ブロックｃ２を前後方向に延設する。【００１３】  上記ベースａ１に第１ストッパーａ３・ａ４を上記第１受圧ブロックｃ１を中央にして左右に対向して配置する。【００１４】  この第１ストッパーａ３・ａ４は例えばＬ形を呈し、Ｌ形の内部に空容器ｇ１の天板ｇ２と底板ｇ３の回り縁を係合して該空容器ｇ１の前後、左右の位置を決め、且つ加圧時における該空容器ｇ１の前方への滑り防止を図る。【００１５】  図２に示すように、上記第１加圧ブロックｃ２の上方に上記空容器ｇ１を該第１加圧ブロックｃ２と該第１受圧ブロックｃ１を以って挟み該空容器ｇ１の上面がＶ字状の谷折り状態に圧縮変形するに伴って、該空容器ｇ１の天板ｇ２及び底板ｇ３が相対方向へハ字形に接近する該空容器ｇ１の胴板上面を即ちＶ字状の谷折り状態に変形した該胴板の内側面を外方へ押して変形せしめる両押しブロックｃ７を配設する。【００１６】  第１受圧ブロックｃ１の受圧面は、空容器ｇ１の胴部下面の中央部面域を横断方向において支持する巾を有し、胴部両端部を該第１受圧ブロックｃ１の左右側方へ張り出して加圧に供する。【００１７】  上記第１加圧ブロックｃ２は、該第１加圧ブロックｃ２の三角形の稜線が該第１受圧ブロックｃ１の巾の略中央線の鉛直線上に位置する位置に配設している。【００１８】  上記第１加圧ブロックｃ２の下部を前後方向にスライド可能の扁平状の第２加圧ブロックｃ３を該操作レバーｂ１の下部の支柱寄りに配設し、また上記第１受圧ブロックｃ１上部を前後方向にスライド可能の扁平状の第２受圧ブロックｃ４を支柱寄りに配設し、該第２受圧ブロックｃ４の前部に、第１次加圧時で圧縮変形した空容器ｇ１の前方への滑り防止を図る第２ストッパーｃ５・ｃ６を配設する。【００１９】  上記支柱ａ２の上方に係止ピンａ６を配設すると共に、上記操作レバーｂ１の上部に枢支した回動するフックｂ３を配設し、該操作レバーｂ１を上方回動位置（待機位置）において該フックｂ３を該係止ピンａ６に係止することにより、該操作レバーｂ１を上方回動位置で保持し、上記第１受圧ブロックｃ１上に空容器ｇ１を横置する。【００２０】  又、上記操作レバーｂ１に上記支軸ａ５とは反対側の前端部に把手ｂ２を配設し、上記のベースａ１の前端は該把手ｂ２の鉛直まで延びており、該ベースａ１巾方向に延在した安定脚ａ７を該ベースａ１の前端と後端に配設し、該操作レバーｂ１が安定して上下回動するように構成している。【００２１】  第１次加圧時に図１に示すように、上記第１受圧ブロックｃ１上に空容器ｇ１を横置し、該第１受圧ブロックｃ１は該空容器ｇ１の胴部中央面域を支え、該空容器ｇ１の天板ｇ２と底板ｇ３の回り縁部を上記第１ストッパーａ３・ａ４の内側に係合し、上記操作��バーｂ１を下降回動して該空容器ｇ１を上記第１加圧ブロックｃ２を以って挟み圧縮変形する。【００２２】  而して、図２・３に示すように、上記空容器ｇ１は圧縮変形に伴って上記第１加圧ブロックｃ２により該空容器ｇ１の胴板の上側板及び前後側板の上半分は押し潰され胴部上面側をＶ字状の谷折り状態に変形し、該第１加圧ブロックｃ２の三角形の稜線により中央に１本の谷折りの折畳み線が形成され、同時に天板ｇ２と底板ｇ３を相対方向へ接近せしめてハ字形に変形しつつ、該空容器ｇ１の上部胴板を谷折り内側面から上記両押しブロックｃ７で外方へ押すことにより、該空容器ｇ１の天板ｇ２及び底板ｇ３の下部を下方へ変形せしめ、而して該空容器ｇ１の胴板の下側板と前後側板の下半分は潰れ、胴部下面側を台形折り状態に変形し、該空容器ｇ１の胴板下面の中央に２本の平行な谷折の折畳み線が形成され、これらの折畳み線が第２次加圧時における作業を容易にする。【００２３】  ついで、上記操作レバーｂ１を上方回動し、フックｂ３を以って支柱ａ２の係止ピンａ６に係止し、上記第１加圧ブロックｃ２を上方回動位置で保持し、図４に示すように上記第２受圧ブロックｃ４を前方にスライドし、また該第２受圧ブロックｃ４に対向する位置に扁平状の上記第２加圧ブロックｃ３を前方にスライドする。【００２４】  次に第２次加圧時に、図４に示すように上記の第１次加圧時で圧縮変形した空容器ｇ１を、底板ａ３（又は天板ａ２）を下にしてＶ字状の谷折り状態に変形した側面を支柱ａ２側に向けて扁平状の上記第２受圧ブロックｃ４上に載置し、該底板ａ３（又は天板ａ２）の周り縁の前方の辺を上記第２ストッパーｃ５・ｃ６に当接し、ついで上記フックｂ３を解除し、再度上記操作レバーｂ１を下降回動して該空容器ｇ１を上方より扁平状の上記第２加圧ブロックｃ３で挟み天板ｇ２（又は底板ｇ３）を加圧すると該空容器ｇ１は折り畳まれて、図５・６に示すように扁平に圧縮変形される。【００２５】  尚、第１受圧ブロックは図７に示すようにベースａ１上に、左右に無負荷時にバネにより直立し、負荷時に内側に傾動する傾動板ｄ２を対向して前後方向に延設し、また左右の該傾動板ｄ２の中央に第１加圧ブロックｄ３を一定高さで止める定高ストッパーｄ３を前後方向に延設した構成の可動受圧ブロックｄ１でも良い。【００２６】  上記の可動受圧ブロックｄ１を用いた場合、第１次加圧において該可動受圧ブロックｄ１と第１加圧ブロックｃ２で挟んで圧縮変形した空容器ｇ１は、図８に示すように該空容器ｇ１の下側胴板は、略Ｍ字状に成形され、平行した折れ線が形成され、第２次加圧においての折り畳みに要する力はさら小力になり、作業効率はさらに増す。
【図面の簡単な説明】
【００２７】  図面の簡単な説明【図１】本発明の空容器潰し機に空容器を横置した全体斜視図。
【図２】第１次加圧で空容器の胴部を挟み圧縮変形した状態を示す正面図
【図３】第１次加圧で圧縮変形した空容器の斜視図。
【図４】第１次加圧で変形した容器を第２受圧ブロック上に載置した状態を示す側面図。
【図５】第２次加圧で扁平に折畳まれた空容器の平面図。
【図６】第２次加圧で扁平に折畳まれた空容器の正面図。
【図７】可動受圧ブロックの正面図。
【図８】第１次加圧で空容器の胴部を可動受圧ブロックと第１加圧ブロックで挟み圧縮変形した状態を示す正面図。
【符号の説明】
【００２８】  ａ１−ベース                        ｇ１−空容器
ａ２−支柱                          ｇ２−天板
ａ３−第１ストッパー                ｇ３−底板
ａ４−第１ストッパー
ａ５−支軸
ａ６−係止ピン
ａ７−安定脚
ｂ１−操作レバー
ｂ２−把手
ｂ３−フック
ｃ１−第１受圧ブロック
ｃ２−第１加圧ブロック
ｃ３−第２加圧ブロック
ｃ４−第２受圧ブロック
ｃ５−第２ストッパー
ｃ６−第２ストッパー
ｃ７−両押しブロック
ｄ１−可動受圧ブロック
ｄ２−傾動板
ｄ３−定高ストッパー
【図１】
2006334666.tif 000003
【図２】
2006334666.tif 000004
【図３】
2006334666.tif 000005
【図４】
2006334666.tif 000006
【図５】
2006334666.tif 000007
【図６】
2006334666.tif 000008
【図７】
2006334666.tif 000009
【図８】
2006334666.tif 000010